(57)【要約】【課題】  バッグシステムの取り扱いを容易にする。【解決手段】  生物学的流体、特に血液を取出すためのバッグシステム（１）であって、バッグシステムは、少なくとも一つの流体用収集バッグ（２）に連通していて流体を取出す取出装置と、少なくとも一つのサンプリング用容器（１５）を含んでいて収集された流体をサンプリングするサンプリング装置とを含んでおり、サンプリング装置はバッグシステムから一つまたは複数の容器まで流体を搬送する搬送手段（１０）を含んでいる、バッグシステムにおいて、搬送手段には、一つまたは複数の容器に結合する結合手段が設けられており、該結合手段は、一つまたは複数の容器をスタンバイ位置に保持して一つまたは複数の容器を搬送位置まで案内して搬送位置まで案内した後に一つまたは複数の容器をバッグシステムから分離することができるよう配置されているバッグシステムが提供される。【選択図】      図１
2004249111.tif 000002
【特許請求の範囲】
【請求項１】
生物学的流体、特に血液を取出すためのバッグシステム（１）であって、該バッグシステムは、少なくとも一つの流体用収集バッグ（２）に連通していて流体を取出す取出装置と、少なくとも一つのサンプリング用容器（１５）を含んでいて収集された流体をサンプリングするサンプリング装置とを含んでおり、前記サンプリング装置は前記バッグシステム（１）から一つまたは複数の前記サンプリング用容器（１５）まで流体を搬送する搬送手段（１０）を含んでいる、バッグシステム（１）において、
前記搬送手段（１０）には、一つまたは複数の前記サンプリング用容器（１５）に結合する結合手段が設けられており、該結合手段は、一つまたは複数の前記サンプリング用容器（１５）をスタンバイ位置に保持して前記一つまたは複数のサンプリング用容器（１５）を搬送位置まで案内して搬送位置まで案内した後に前記一つまたは複数のサンプリング用容器（１５）を前記バッグシステム（１）から分離することができるよう配置されているバッグシステム。
【請求項２】
前記収集バッグ（２）は、第二チューブ（７）によって前記サンプリング装置が接続されている第一チューブ（６）によって前記取出装置に連通している請求項１に記載のバッグシステム。
【請求項３】
前記サンプリング装置が、前記第二チューブ（７）の下流端に接続されたサンプリングバッグ（９）を含んでいる請求項２に記載のバッグシステム。
【請求項４】
前記容器（１５）は、直径が該容器（１５）の本体の直径よりも大きい閉鎖要素（２１）を有している請求項１から３のいずれか一項に記載のバッグシステム。
【請求項５】
前記搬送手段（１０）はサンプリング用容器（１５）を導入できるようにするために前記前方部分（１４）において開放する中空案内部（１３）と、該中空案内部（１３）の後方部分（１７）を通過する中空針（１６）とを含んでおり、それにより、前記中空針の下流部分が前記中空案内部（１３）の内側に延びると共に、前記中空針（１６）の上流部分が前記中空案内部（１３）の外側に延びるようになり、移動させることにより前記サンプリング用容器（１５）を搬送位置に配置できるようにするために前記中空針（１６）は前記バッグシステム（１）に連通しており、前記搬送位置においては、前記中空針（１６）の下流端が閉鎖要素（２１）を穿孔することによって前記サンプリング用容器（１５）の内部と連通している請求項１から４のいずれか一項に記載のバッグシステム。
【請求項６】
前記結合手段が、前記中空案内部（１３）の内面に長手方向に配置された第一の組の突出部（２７）および第二の組の突出部（２８）を含んでおり、これら突出部は前記サンプリング用容器（１５）を前記中空案内部（１３）内に摺動させることにより変形するよう配置されており、それにより、前記中空案内部（１３）内においてサンプリング用容器（１５）を可逆的に結合させると共に、前記中空針（１６）から所定の距離をおいたスタンバイ位置と搬送位置との間で前記サンプリング用容器（１５）を前記中空案内部（１３）内に摺動させることができる請求項５に記載のバッグシステム。
【請求項７】
少なくともいくつかの突出部が可撓性、特に弾性的になっており、前記中空案内部（１３）内で前記サンプリング用容器（１５）が後方から前方への方向または前方から後方への方向に摺動するときに、前記突出部は前記サンプリング用容器（１５）に接触することによって後方に向かって傾斜する位置から前方へ向かって傾斜する位置まで可逆的に変形可能である請求項６に記載のバッグシステム。
【請求項８】
前記中空針（１６）に近接して配置される前記第一の組立体の突出部（２７）が変形により折曲げ可能である請求項６または７に記載のバッグシステム。
【請求項９】
前記バッグシステム（１）は、サンプリング用容器（１５）が分離可能なようにそれぞれ結合されている複数の搬送手段（１０）を含んでおり、これら搬送手段（１０）は第二チューブ（７）または第三チューブ（１１）によって前記バッグシステムに接続されている請求項４から８のいずれか一項に記載のバッグシステム。
【請求項１０】
前記分離手段は、複数のサンプリング用容器（１５）を前記案内部（１３）から或る距離をおいたスタンバイ位置に支持できると共に前記案内部（１３）内に案内できるように配置されている請求項５に記載のバッグシステム。
【請求項１１】
前記結合手段は、前記案内部（１３）に結合されたハウジング（２９）を含んでおり、該ハウジング（２９）にはスカート（３０）が設けられており、該スカート（３０）内において、前記ハウジング（２９）内の前記サンプリング用容器（１５）を前記案内部（１３）に向かって長手方向に摺動させて前記サンプリング用容器（１５）の閉鎖端部が導入され、前記スカートの内壁には、前記サンプリング用容器（１５）が前記ハウジング（２９）から横断方向に引き出されるのを前記閉鎖要素（２１）による干渉によって防止するようになっている突出部（３１）が設けられている請求項４に従属するときに請求項１０に記載のバッグシステム。
【請求項１２】
前記スカート（３０）が前記案内部（１３）内に形成された扇形部分に対向して配置される開放端と、該開放端に対向する閉鎖端とを有している請求項１１に記載のバッグシステム。
【請求項１３】
前記案内部（１３）には、改変証拠要素が備えられたキャップ（３３）が設けられている請求項１０から１２に記載のバッグシステム。
【請求項１４】
前記バッグシステムが、複数の容器（１５）に結合している搬送手段（１０）を含んでおり、前記搬送手段（１０）は第二チューブ（７）または第三チューブ（１１）により前記バッグシステムに接続されている請求項１０から１３のいずれか一項に記載のバッグシステム。
【請求項１５】
前記収集バッグ（２）と一つまたは複数の前記サンプリング用容器（１５）のそれぞれとには識別手段（３５）が設けられており、該識別手段はサンプリング用容器（１５）をバッグシステム（１）から分離した後にサンプリング用容器（１５）および収集バッグ（２）が同一のバッグシステム（１）からのものであることを明確に識別することのできる情報を含んでいる請求項１から１４のいずれか一項に記載のバッグシステム。
【請求項１６】
前記収集バッグ（２）は第四チューブ（２３）によってサテライトバッグ（２４ａ〜２４ｃ）に連通しており、前記サテライトバッグには識別手段（３５）が設けられている請求項１から１５のいずれか一項に記載のバッグシステム。
【発明の詳細な説明】
【技術分野】
【０００１】
本発明は、生物学的流体を取出すためのバッグシステムに関する。
【背景技術】
【０００２】
本発明は生物学的流体がドナーから収集バッグまで取出されうる全血である場合に典型的には適用される。このことを行うために、バッグシステムは、閉鎖回路内において、少なくとも一つの収集バッグに連通していて血液を取出す取出装置を備えている。さらに、バッグシステムは、取出された血液のいくらかを受容するようになっている血液のサンプリング装置を有しており、このサンプリング装置はバッグシステムに分離可能に結合された少なくとも一つのサンプリング用容器を含んでいる。
【０００３】
そのようなサンプリング装置を使用することによって、特に血清学、ウイルス学および血球算定法を行うために解析されるべきいくらかの血液を各容器において得ることができる。
【発明の開示】
【発明が解決しようとする課題】
【０００４】
特に、サンプリング装置において、汚染により影響される最初の数ミリリットルの血液を取出すことによって、いくつかの利点を有するバッグシステムを使用することができる。第一に、汚染に関する取出された血液のうちの最初の数ミリリットルは収集バッグよりもサンプリング装置に供給されるので、前述したことによってドナーの皮膚のバクテリアまたは異物の存在の結果として汚染が生じる危険性を低減できる。第二に、このことによって収集バッグが完全に充填される前にサンプルを取得すると共に時間を消費しないようにできる。最終的に、取出時においては、ドナーに関する血液量の損失は血漿の追加によって補償され、サンプリング装置が収集バッグの後に充填される場合には解析されるべき血液のヘマトクリット値は低くなり、血算が変化してしまう。
【０００５】
提示される一つの問題は、公知のバッグシステムが取り扱い困難であるということである。
【０００６】
このことは、時間の消費を増大させるサンプルを得るために使用者が複数の容器を位置決めする必要があるのが原因である。
【０００７】
本発明の一つの目的は、各サンプリング用容器がバッグシステムから搬送手段まで流体を搬送する搬送手段において備えられており、サンプルを取得するために操作者がこれらサンプリング用容器を搬送手段に案内することができることによってこの問題を解決することである。
【課題を解決するための手段】
【０００８】
この目的のために、本発明は、生物学的流体、特に血液を取出すためのバッグシステムであって、該バッグシステムは、少なくとも一つの流体用収集バッグに連通していて流体を取出す取出装置と、少なくとも一つのサンプリング用容器を含んでいて収集された流体をサンプリングするサンプリング装置とを含んでおり、前記サンプリング装置は前記バッグシステムから一つまたは複数の前記サンプリング用容器まで流体を搬送させる搬送手段を含んでいる、バッグシステムにおいて、前記搬送手段には、一つまたは複数の前記サンプリング用容器に結合する結合手段が設けられており、該結合手段は、一つまたは複数の前記サンプリング用容器をスタンバイ位置に保持して前記一つまたは複数のサンプリング用容器を搬送位置まで案内して搬送位置まで案内した後に前記一つまたは複数のサンプリング用容器を前記バッグシステムから分離することができるよう配置されているバッグシステムに関する。
【発明を実施するための最良の形態】
【０００９】
本発明の他の目的および他の利点は添付図面を参照して以下の説明より明らかになるであろう。
【００１０】
図１（ａ）および図１（ｂ）はドナーから流体を取出す取出手段と、取出された流体、特に血液を受容するようになっている少なくとも一つの収集バッグ２とを含んでいるバッグシステム１を示している。
【００１１】
サンプリング手段は特にドナーの血管にアクセスすることのできる針３と、この針３を保護するキャップ４とから構成される。さらに、取出手段に連通する収集バッグ２を取り付けている第一チューブ６に対して針用プロテクタ５を摺動可能に配置することもできる。
【００１２】
バッグシステム１はさらに、三方接合部の形態をなしていて第一コネクタ８において接続される第二チューブ７と第一チューブ６とによって収集バッグ２に連通しているサンプリング装置も含んでいる。
【００１３】
図示される実施形態においては、サンプリング装置は第二チューブ７の下流端に接続されるサンプリングバッグ９を含んでいる。下流および上流という用語は、取出装置からバッグおよびサンプリング装置までの血液の流れ方向に対して定められる。
【００１４】
サンプリング装置はさらに流体搬送手段１０も含んでおり、この搬送手段１０は、三方接合部の形態をなす第二コネクタ１２において第二チューブ７に接続される第三チューブ１１と、第二チューブ７と第一チューブ６とによって収集バッグ２に連通している。
【００１５】
図２に示されるように、搬送手段１０はサンプリング用容器１５を挿入することのできる前方部分１４において開放した中空案内部１３と、中空案内部１３の後方部分１７を通過する中空針１６とを含んでおり、それにより、中空針１６の下流部分は案内部の内側に延びると共に、中空針１６の上流部分は案内部の外側に延びるようになる。中空針１６の下流部分は弾性鞘部１８内に収容されている。中空針１６の上流部分によって搬送手段をバッグシステム１に接続することができる。次いで、流体連通手段すなわちチューブが上流部分に接続される。
【００１６】
第一クランプ１９および第二クランプ２０は第一コネクタ８の下流に位置する第一チューブ６と、第二チューブ７とにそれぞれ配置されうる。取出される流体の流れ方向を、第一クランプ１９が閉鎖されると共に第二クランプ２０が開放されるサンプリングバッグ９への方向かまたは第二クランプ２０が閉鎖されると共に第一クランプ１９が開放される収集バッグ２への方向かに第一クランプ１９および第二クランプ２０によって定めることができる。
【００１７】
サンプリング用容器１５が搬送位置に配置されるとき、すなわち中空針１６の下流端がサンプリング用容器１５の閉鎖要素２１を穿孔することによってサンプリング用容器１５の内部に連通するときに、サンプリング用容器１５はサンプリングバッグ９内に収容されている取出された血液によって充填される。
【００１８】
回路オープナをバッグシステム１に設けることもできる。特に回路オープナ２２を第一コネクタ８に近接した第二チューブ７に設置するようにしてもよい。
【００１９】
図１（ｂ）に示されるように、血液の複数の構成要素から白血球を濾過、分離および除去するステップを行うために、収集バッグ２を第四チューブ２３によってサテライトバッグ２４ａ〜２４ｃに連通させられる。白血球を除去するためのフィルタ２５が収集バッグ２とサテライトバッグ２４ａとの間に設置されている。サテライトバッグ２４ａを一つまたは複数の他のサテライトバッグに連通させられる。例えばサテライトバッグ２４ａを他の二つのサテライトバッグ２４ｂ、２４ｃに連通することもできる。クランプ２６を収集バッグ２と白血球を除去するためのフィルタ２５との間の第四チューブ２３に設けることもできる。一つの実施形態によれば、サテライトバッグ２４ａ〜２４ｃには識別手段３５を設けるようにしてもよい。
【００２０】
第一の実施形態によれば、図２に示されるように搬送手段１０にはサンプリング用容器１５に結合する結合手段が設けられている。結合手段は、中空案内部１３の中空針１６に近接していて中空案内部１３の内面に長手方向に配置された第一の組の突出部２７と、中空案内部１３の前方部分１４に近接していて中空案内部１３の内面に長手方向に配置された第二の組の突出部２８とを含んでいる。これら突出部はサンプリング用容器１５を中空案内部１３内に摺動させることによって変形可能なように配置されており、それにより、中空案内部１３内においてサンプリング用容器１５を可逆的に協動させると共に、中空針１６から所定の距離をおいたスタンバイ位置（図３（ａ））と搬送位置（図３（ｂ））との間でサンプリング用容器１５を中空案内部１３内に摺動させることができるようになる。
【００２１】
図２、図３（ａ）および図３（ｂ）に示されるように、突出部は可撓性、特に弾性的であって、サンプリング用容器１５が中空案内部１３内に前後方向に摺動するときに、サンプリング用容器１５に接触することによって前方傾斜位置から後方傾斜位置まで可逆的に変形することができる。サンプリング用容器１５が中空案内部１３から引き出されるときに、突出部は後方から前方まで傾斜し、それにより、サンプリング用容器１５は閉鎖要素２１とは分離されないようになる。図示される実施形態においては、サンプリング用容器１５はサンプリング用容器１５の本体の直径よりも大きい直径を有する閉鎖要素２１を有しており、閉鎖要素２１が通過するときには突出部は或る方向から他の方向まで傾斜する。
【００２２】
図３（ｃ）に示される変更例によれば、中空針１６に近接して配置される第一の組の突出部２７は、搬送位置に配置されたサンプリング用容器１５を摺動することによって破断可能である。従って、閉鎖要素２１を穿孔することが目に見えるようになり、使用者はサンプル取得前に穿孔が行われていないことを検査することができる。
【００２３】
図４に示されるように、サンプリング用容器１５が分離可能なように結合される複数の搬送手段１０を第二チューブ７または第二コネクタ１２により第二チューブ７に接続された第三チューブ１１によってバッグシステム１に接続することができる。複数のサンプリング用容器１５を複数の搬送手段１０によって分離可能なように結合付けることは、第一に取出作用に従事する人にとってはサンプリング用容器１５を搬送手段１０内に配置する必要がないために時間を節約できるという利点、第二にトレーサビリティー用ラベルをサンプル取得前、特に製造前に取り付けることができるので献血作用のトレーサビリティーにおけるエラーの危険性を低減できるという利点を有している。
【００２４】
第二の実施形態によれば、図１（ｂ）および図５（ａ）から図５（ｅ）に示されるように複数のサンプリング用容器１５を中空案内部１３から所定の距離にあるスタンバイ位置において支持できると共にそれらを中空案内部１３内に案内することができるように結合手段が配置されている。
【００２５】
結合手段と搬送手段１０とは把持作用または溶接作用により結合されるか、もしくは一体的または同一部材をなすように成形されうる。
【００２６】
結合手段は中空案内部１３に結合されたハウジング２９を含んでいる。前記ハウジング２９にはスカート３０が設けられており、スカート３０においてはサンプリング用容器１５の閉鎖要素２１が導入されて、サンプリング用容器１５を中空案内部１３に向かってハウジング２９内を長手方向に摺動することができる。前記スカート３０の内壁には、閉鎖要素２１による干渉によってサンプリング用容器１５がハウジング２９から横断方向に引き出されるのを妨げるようになっている突出部３１が設けられている。
【００２７】
スカート３０は案内部内に形成された扇形部分に対向して配置された開放端と、これに対向する閉鎖端とを含んでいる。他の軸線においては、第一の開放端が開放していて対向する他端に配置されており、それにより、一つまたは複数のサンプリング用容器１５の本体がハウジング２９を越えて延びるようになる。
【００２８】
製造時には、サンプリング用容器１５は開放した前方部分１４を通じて中空案内部１３内に導入され、それにより、閉鎖要素２１がハウジング２９内の溝３２の高さに設置されるようになり、従って、閉鎖要素２１を溝３２内で摺動させられる。
【００２９】
次いで、キャップ３３が案内部１３上に配置され、バッグシステム１の使用者によってサンプルが取得されるまでサンプリング用容器１５をハウジング２９内に保持することができる。
【００３０】
ハウジング２９は二個から十個のサンプリング用容器１５を含むように種々の寸法をとりうる。使用されるサンプリング用容器１５の数は法規に基づいて変化し、特にフランスにおいては五個のサンプリング用容器１５が通常の解析を行うのに使用されている。
【００３１】
サンプルが取得されるときには、取出作用に従事する人はキャップ３３を中空案内部１３から取り外し、サンプリング用容器１５を中空案内部１３と同程度に遠方まで摺動させ、次いでサンプリング用容器１５を中空案内部１３に導入し、それにより、サンプリング用容器１５の閉鎖要素２１を穿孔することによって中空針１６の下流端がサンプリング用容器１５の内部と連通するようになる。サンプリング用容器１５が充填された後に、使用者はサンプリング用容器１５を中空案内部１３から引出す。一つの例示的な実施形態においては、キャップ３３には改変した場合にそれが分かるようにする改変証拠要素（ｔａｍｐｅｒ−ｅｖｉｄｅｎｃｅ  ｅｌｅｍｅｎｔ）、例えば第一開口部で破断する舌状部を設ける様にし、それにより、ストッパ３３の最初の取り扱いであることを識別できるようにしてもよい。
【００３２】
図６（ａ）から図６（ｃ）に示される変更例によれば、搬送手段１０は結合手段上で摺動でき、それにより、搬送手段１０は各サンプリング用容器１５の位置に配置されるようになる。搬送手段１０がサンプリング用容器１５の位置に配置されるときに、使用者は前記搬送手段１０を横断方向に移動させ、それにより、閉鎖要素２１が中空針１６によって穿孔されるようになる。対向する二つの扇形部分を中空案内部１３に形成し、それにより、搬送手段１０が結合手段上で摺動するようにすることもできる。
【００３３】
図１（ｂ）に示されるように、複数のサンプリング用容器１５に結合する搬送手段１０を、第二チューブ７および第三チューブ１１によってバッグシステム１に接続することもできる。
【００３４】
血液を取出す公知のバッグシステムについては、取出すのに従事する人は、一つでかつ同一の献血作用に対応する収集バッグ２と一つまたは複数のサンプリング用容器１５とをマーキングにより識別する必要がある。
【００３５】
本発明によれば、一つまたは複数のサンプリング用容器１５と収集バッグ２とが製造時に分離可能なように結合されているので、これら献血作用のトレーサビリティーにおけるエラーの可能性を大幅に低減することができる。さらに、製造時から、収集バッグ２と一つまたは複数のサンプリング用容器１５とサテライトバッグ２４ａ〜２４ｃのそれぞれには識別手段３５、例えばバーコードを備えた自己接着式ラベルが設けられており、これら識別手段３５はサンプリング用容器１５をバッグシステム１から分離した後に、サンプリング用容器１５と収集バッグ２といくつかのサテライトバッグ２４ａ〜２４ｃとが同一のバッグシステム１からのものであることを明確に識別することのできる情報を含んでいる。
【図面の簡単な説明】
【００３６】
【図１】（ａ）第一の実施形態に基づくサンプリング装置を含んでいて血液を取出すためのバッグシステムの略図である。（ｂ）第二の実施形態に基づくサンプリング装置を含んでいて血液を取出すと共に血液成分を分離するためのバッグシステムの略図である。
【図２】図１（ａ）に示されるサンプリング装置の取出手段を示す略図である。
【図３】（ａ）サンプリング用容器が或る距離をおいた位置および搬送位置のそれぞれに配置されている図２の搬送装置を示す略図である。（ｂ）サンプリング用容器が或る距離をおいた位置および搬送位置のそれぞれに配置されている図２の搬送装置を示す略図である。（ｃ）搬送手段の変更実施形態を示している図３（ｂ）と同様の図である。
【図４】図２に基づく複数の搬送手段が設けられているサンプリング装置を含んでいて血液を取出すためのバッグシステムを示す略図である。
【図５】（ａ）図２のサンプリング装置の搬送手段を示す略正面図であり、サンプリング用容器がスタンバイ位置に在る。（ｂ）図２のサンプリング装置の搬送手段を示す略斜視図であり、サンプリング用容器がスタンバイ位置に在る。（ｃ）図２のサンプリング装置の搬送手段を示す略側面図であり、サンプリング用容器がスタンバイ位置に在る。（ｄ）図２のサンプリング装置の搬送手段を示す略平面図であり、サンプリング用容器がスタンバイ位置に在る。（ｅ）図２のサンプリング装置の搬送手段を示す略断面図であり、サンプリング用容器がスタンバイ位置に在る。
【図６】（ａ）変更実施形態に基づく図５の搬送手段の正面図であり、容器がスタンバイ状態に在る。（ｂ）変更実施形態に基づく図５の搬送手段の側面図であり、容器がスタンバイ状態に在る。（ｃ）容器が搬送位置に在る図６（ｂ）と同様の図である。
【符号の説明】
【００３７】
１…バッグシステム
２…収集バッグ
３…針
４…キャップ
５…針用プロテクタ
６…第一チューブ
７…第二チューブ
８…第一コネクタ
９…サンプリングバッグ
１０…搬送手段
１１…第三チューブ
１２…第二コネクタ
１３…中空案内部
１４…前方部分
１５…サンプリング用容器
１６…中空針
１７…後方部分
１８…弾性鞘部
１９…第一クランプ
２０…第二クランプ
２１…閉鎖要素
２２…回路オープナ
２３…第四チューブ
２４ａ〜２４ｃ…サテライトバッグ
２５…フィルタ
２６…クランプ
２７…突出部
２８…突出部
２９…ハウジング
３０…スカート
３１…突出部
３２…溝
３３…キャップ
３３…ストッパ
３５…識別手段
【図１】
2004249111.tif 000003
【図２】
2004249111.tif 000004
【図３】
2004249111.tif 000005
【図４】
2004249111.tif 000006
【図５】
2004249111.tif 000007
【図６】
2004249111.tif 000008